(57)【要約】【課題】通気用の孔を有しないフラットでシンプルなデザインのカバーを備えた加熱調理器を提供する。【解決手段】加熱調理器は、上部に開口を有する箱形状の本体ケースと、本体ケースの上部開口を覆い、被加熱物を載置可能な天板部と、天板部の下方に配設された加熱手段と、本体ケースの上面に形成され、本体ケース内の部品を冷却するための冷却風を通す開口部と、開口部を覆うカバーと、本体ケースの上面に取り付けられ、カバーを上面に載置させて支持するカバー受け部材と、を備えている。カバーには、カバー受け部材に向かって突き出す突起部が設けられている。カバー受け部材には、突起部が嵌め込まれる溝部又は孔部が形成されている。カバーは、突起部が溝部又は孔部に嵌め込まれ、本体ケースの上面との間に開口部と連通する隙間を設けてカバー受け部材に支持されている。【選択図】図２
2018170204.tif 000002
【特許請求の範囲】
【請求項１】
上部に開口を有する箱形状の本体ケースと、
前記本体ケースの上部開口を覆い、被加熱物を載置可能な天板部と、
前記天板部の下方に配設された加熱手段と、
前記本体ケースの上面に形成され、前記本体ケース内の部品を冷却するための冷却風を通す開口部と、
前記開口部を覆うカバーと、
前記本体ケースの上面に取り付けられ、前記カバーを上面に載置させて支持するカバー受け部材と、を備え、
前記カバーには、前記カバー受け部材に向かって突き出す突起部が設けられ、
前記カバー受け部材には、前記突起部が嵌め込まれる溝部又は孔部が形成されており、
前記カバーは、前記突起部が前記溝部又は前記孔部に嵌め込まれ、前記本体ケースの上面との間に前記開口部と連通する隙間を設けて前記カバー受け部材に支持されている、加熱調理器。
【請求項２】
前記カバーと前記本体ケースの上面との間に設けた隙間は、前記本体ケースの前面側よりも背面側が幅広に形成されている、請求項１に記載の加熱調理器。
【請求項３】
前記カバーに設けた前記突起部は、前記カバーの長手方向に沿って設けられ、
前記突起部の長手方向の長さが、前記カバーの長手方向の長さよりも短い構成とされており、
前記カバー受け部材は、平面的に見て前記カバーに覆われた配置で、前記本体ケースの上面に取り付けられている、請求項１又は２に記載の加熱調理器。
【請求項４】
前記突起部は、前記カバー受け部材と対向する端面を、前記本体ケースの背面側から前面側に向かって前記カバー受け部材側に傾斜する傾斜面とした構成である、請求項１〜３のいずれか一項に記載の加熱調理器。
【請求項５】
前記カバーの上面は、前面側が前記本体ケースに向かって下る湾曲面とした形状である、請求項１〜４のいずれか一項に記載の加熱調理器。
【請求項６】
前記カバーは、前記本体ケースの長手方向に沿って分割した複数体で構成されている、請求項１〜５のいずれか一項に記載の加熱調理器。
【請求項７】
前記カバー受け部材は、前記本体ケースの長手方向に沿って間隔をあけて配置された複数個で構成されており、前記カバーの長手方向における両端を支持する構成である、請求項１〜６のいずれか一項に記載の加熱調理器。
【請求項８】
前記カバー受け部材の前記溝部又は前記孔部は、少なくとも１つの前記カバーを支持する前記カバー受け部材の対向する端面に切り欠き状として形成されている、請求項７に記載の加熱調理器。
【請求項９】
前記カバーは、アルミニウムの押し出し成形品である、請求項１〜８のいずれか一項に記載の加熱調理器。
【請求項１０】
前記カバーは、ブラスト処理が施されたアルミニウムの押し出し成形品に、アルマイト処理が施されて形成されている、請求項９に記載の加熱調理器。
【請求項１１】
前記カバーは、ヘアライン処理が施されたアルミニウムの押し出し成形品に、アルマイト処理が施されて形成されている、請求項９に記載の加熱調理器。
【発明の詳細な説明】
【技術分野】
【０００１】
本発明は、吸気口及び排気口を覆うカバーを備えた加熱調理器に関するものである。
【背景技術】
【０００２】
従来、誘導加熱コイルに高周波電流を流すことによって生じる高周波磁束で渦電流を誘起し、それによって発生するジュール熱で被加熱物の加熱を行う加熱調理器が知られている。この加熱調理器には、本体ケース内の部品を冷却するための冷却風を吸込み或いは排出する吸気口と排気口が設けられ、その吸気口と排気口を覆うカバーが本体ケースに取り付けられている。
【０００３】
このカバーは、例えば特許文献１に開示されているように、通気性を有するパンチングメタル又は格子状の金属部材等で構成されており、通気性があり、冷却風の吸気及び排気、調理室からの排気の気流を通気抵抗が少なくスムースに通過させる。
【先行技術文献】
【特許文献】
【０００４】
【特許文献１】特開平１０−２１４６７７号公報
【発明の概要】
【発明が解決しようとする課題】
【０００５】
ところで、近年、意匠性を重視した加熱調理器として、本体の上面に通気用の孔を有しないフラットでシンプルなデザインとした構成が求められている。そのため、特許文献１に開示されたパンチングメタル又は格子状の金属部材等からなるカバーでは、外観の意匠性が劣るとの指摘がある。
【０００６】
本発明は、上記のような課題を解決するためになされたものであり、通気用の孔を有しないフラットでシンプルなデザインのカバーを備えることで、意匠性の高い加熱調理器を提供することを目的とする。
【課題を解決するための手段】
【０００７】
本発明に係る加熱調理器は、上部に開口を有する箱形状の本体ケースと、前記本体ケースの上部開口を覆い、被加熱物を載置可能な天板部と、前記天板部の下方に配設された加熱手段と、前記本体ケースの上面に形成され、前記本体ケース内の部品を冷却するための冷却風を通す開口部と、前記開口部を覆うカバーと、前記本体ケースの上面に取り付けられ、前記カバーを上面に載置させて支持するカバー受け部材と、を備え、前記カバーには、前記カバー受け部材に向かって突き出す突起部が設けられ、前記カバー受け部材には、前記突起部が嵌め込まれる溝部又は孔部が形成されており、前記カバーは、前記突起部が前記溝部又は前記孔部に嵌め込まれ、前記本体ケースの上面との間に前記開口部と連通する隙間を設けて前記カバー受け部材に支持されているものである。
【発明の効果】
【０００８】
本発明に係る加熱調理器によれば、カバーは、突起部が溝部又は孔部に嵌め込まれ、本体ケースの上面との間に開口部と連通する隙間を設けてカバー受け部材に支持される構成なので、通気用の孔を有していないフラットでシンプルなデザインとすることができ、外観の意匠性を高めることができる。
【図面の簡単な説明】
【０００９】
【図１】本発明の実施の形態に係る加熱調理器を示した斜視図である。
【図２】本発明に実施の形態に係る加熱調理器であって、カバーをカバー受け部材から取り外した状態を示した要部拡大斜視図である。
【図３】本発明に実施の形態に係る加熱調理器のカバーを裏面側から見た斜視図である。
【図４】本発明に実施の形態に係る加熱調理器であって、右側カバー受け部材を取り付けた部分を側面方向から見た要部拡大断面図である。
【図５】本発明に実施の形態に係る加熱調理器であって、中央カバー受け部材を取り付けた部分を側面方向から見た要部拡大断面図である。
【図６】図２に示したＡ部拡大図である。
【図７】図２に示したＢ部拡大図である。
【図８】図２に示したＣ部拡大図である。
【図９】本発明に実施の形態に係る加熱調理器であって、カバー及びカバー受け部材を支持部から取り外した状態を示した要部拡大斜視図である。
【図１０】本発明の実施の形態に係る加熱調理器を背面側から見た要部拡大断面図である。
【図１１】図１０に示したＤ部拡大図である。
【図１２】図１０に示したＥ部拡大図である。
【発明を実施するための形態】
【００１０】
以下、図面を参照して、本発明の実施の形態について説明する。なお、各図中、同一または相当する部分には、同一符号を付して、その説明を適宜省略または簡略化する。また、各図に記載の構成について、その形状、大きさ、及び配置等は、本発明の範囲内で適宜変更することができる。
【００１１】
実施の形態．
図１は、本発明の実施の形態に係る加熱調理器を示した斜視図である。図２は、本発明に実施の形態に係る加熱調理器であって、カバーをカバー受け部材から取り外した状態を示した要部拡大斜視図である。図３は、本発明に実施の形態に係る加熱調理器のカバーを裏面側から見た斜視図である。図４は、本発明に実施の形態に係る加熱調理器であって、右側カバー受け部材を取り付けた部分を側面方向から見た要部拡大断面図である。図５は、本発明に実施の形態に係る加熱調理器であって、中央カバー受け部材を取り付けた部分を側面方向から見た要部拡大断面図である。
【００１２】
本実施の形態に係る加熱調理器１００は、誘導加熱コイルに高周波電流を流すことによって生じる高周波磁束で渦電流を誘起し、それによって発生するジュール熱で被加熱物の加熱を行う、据え置き型あるいはビルトイン型の誘導加熱調理器である。加熱調理器１００は、図１及び図２に示すように、上部に開口を有する箱形状の本体ケース１と、本体ケース１の上部開口を覆う天板部２と、天板部２の下方に配設された加熱手段と、本体ケース１に間隔をあけて形成され、本体ケース１内の部品を冷却するための冷却風を吸込み或いは排出する開口部として吸気口５及び排気口６と、を備えている。更に、加熱調理器１００は、吸気口５及び排気口６を覆うカバー４と、カバー４を上面に載置させて支持するカバー受け部材として右側カバー受け部材７、左側カバー受け部材８、及び中央カバー受け部材９と、を備えている。
【００１３】
本体ケース１の内部には、加熱手段として電磁誘導加熱コイル（以下、加熱コイル１１という）と、この加熱コイル１１の電力を制御する制御基板と、制御基板及び加熱コイル１１等を冷却するための冷却風を発生させる冷却装置（冷却ファン）等が配置されている。本体ケース１の上面には、本体ケース１の一部として、ステンレス材等の錆難く剛性を持った素材で構成された支持枠３が着脱自在に取り付けられており、支持枠３の中央に天板部２、前面側に操作部１０がそれぞれ配置されている。操作部１０は、加熱調理器１００における加熱動作の設定を受け付けるための操作ボタン及びスイッチ等で構成されている。支持枠３の背面側には、本体ケースの１内部と連通する開口部として、本体ケース１の内部に空気を取り込むための吸気口５と、本体ケース１の内部に取り込んだ空気を排気するための排気口６とが形成されている。
【００１４】
天板部２は、平板形状に形成された例えば結晶化ガラス又はセラミック等の非金属材料で構成され、本体ケース１の上面の開口に設けられている。天板部２は、シリコン接着剤等によって外縁が支持枠３に接着され、支持枠３と一体化されている。天板部２の上面には、被加熱物の載置位置を示す載置位置表示部２ａ、２ｂが印刷等により表示されている。これらの載置位置表示部２ａ、２ｂの下方には、加熱手段である加熱コイル１１が対向して配置されている。なお、載置位置表示部２ａ、２ｂは、図示した印刷等による表示に限らず、例えば電源を入れると光って載置位置を表示する構成でもよい。
【００１５】
加熱手段は、本体ケース１内に配置された例えば２つの加熱コイル１１からなり、これらの加熱コイル１１の電力を制御する制御基板によって制御される。なお、加熱源として２つの加熱コイル１１を用いているが、全てを加熱コイル１１とする必要は無く、例えば、載置位置表示部２ａ、２ｂの下方にラジエントヒーターを設置しても良い。また、加熱コイル１１を２つとしているが、３つ又は４つとしても良い。
【００１６】
吸気口５及び排気口６は、図２及び図３に示すように、支持枠３の上面を少し内方へ凹ませた部分に形成されている。吸気口５は、本体ケース１の長手方向に沿って等間隔に複数形成された長円形状の開口として構成されている。排気口６は、略長方形状となる開口と、本体ケース１の長手方向に沿って等間隔に複数形成された長円形状の開口とで構成されている。なお、吸気口５及び排気口６は、図示した構成に限定されない。例えば、吸気口５は、排気口６と同じように略長方形状からなる開口としてもよい。また、中央に排気口を設け、その両側に吸気口をそれぞれ設けてもよい。更に、すべての開口を排気口又吸気口としてもよい。つまり、吸気口５及び排気口６は、実施の状況に応じて種々の形態で実施するものとする。
【００１７】
カバー４は、吸気口５及び排気口６を覆って、該吸気口５及び排気口６の中に使用者の指又は異物等が入り込まないようにするために設けられている。カバー４は、図１及び図２に示すように、本体ケース１の長手方向に沿って分割した複数体で構成されている。例えば図１及び図２に示した本実施の形態のカバー４は、吸気口５を覆う吸気口カバー４０と、排気口６を覆う排気口カバー４１とで構成されている。吸気口カバー４０と排気口カバー４１は、同形、同大であり、それぞれ支持枠３の上面に取り付けられたカバー受け部材７、８、９によって支持されている。
【００１８】
吸気口カバー４０の下面には、図２〜図５に示すように、カバー受け部材７、９に向かって突き出す突起部４０ａが設けられている。一方、カバー受け部材７、９には、突起部４０ａが嵌め込まれる溝部７２、９２がそれぞれ形成されている。つまり、吸気口カバー４０は、突起部４０ａが溝部７２、９２に嵌め込まれて右側カバー受け部材７と中央カバー受け部材９に支持され、本体ケース１の上面との間に吸気口５と連通する隙間を設けている。なお、排気口カバー４１の下面にも、図２及び図３に示すように、カバー受け部材８、９に向かって突き出す突起部４１ａが設けられ、カバー受け部材８、９には、突起部４１ａが嵌め込まれる溝部８２、９３がそれぞれ形成されている。
【００１９】
カバー４は、一例としてアルミニウムの押し出し成形品である。アルミニウムの押し出し成形品としたカバー４は、洗練されたデザインを呈することができ、使用者に高級感を与えることができる。カバー４は、アルミニウムの押し出し成形品をブラスト処理した後、アルマイト処理を施すことが望ましい。ブラスト処理を行うことで、裏面に突起部４０ａ、４１ａを設けたことにより発生するヒケを隠すことができ、意匠的効果を高めることができる。また、アルマイト処理を施すことで、耐食性と耐摩耗性を向上させることができる。なお、カバー４は、アルミニウムの押し出し成形品をヘアライン処理した後、アルマイト処理を施してもよい。ヘアライン処理は、意匠面の傷等を目立たなくする効果を有するため、意匠的効果を高めることができる。なお、カバー４は、アルミニウムの押し出し成形品に限定されず、他の金属材或いは合成樹脂材による成形品でもよい。
【００２０】
吸気口カバー４０及び排気口カバー４１の上面は、図４及び図５に示すように、支持枠３に向かって下方に緩やかに下る湾曲面を成しており、使用者に柔らかくスタイリッシュな印象を与える構成としている。但し、吸気口カバー４０及び排気口カバー４１の上面は、図示した湾曲面に限定されず、例えば支持枠３に向かって下方に傾斜させた傾斜面とした構成でもよい。また、カバー４の上面は、湾曲面又は傾斜面とすることなく、略水平面とした構成でもよい。
【００２１】
カバー４は、図１、図２、図４及び図５に示すように、支持枠３の上面との間に、前面側が例えば１ｍｍ程度の隙間を設け、背面側が例えば１０ｍｍ程度の隙間を設けて支持されている。つまり、カバー４と支持枠３の上面との間に設けた隙間は、本体ケース１の前面側よりも背面側が幅広である。カバー４の前面側と支持枠３の上面との隙間を小さくしている理由は、加熱調理器１００の前方に立った使用者の視界から吸気口５及び排気口６を隠して意匠性を高めるためである。また、調理中に吹き零れた調理物が吸気口５及び排気口６に進入しないようにするためでもある。なお、カバー４の前面側と支持枠３の上面との隙間は、できるだけ小さい方が良いが、カバー４と支持枠３との干渉を避けるため、少なくとも１ｍｍ程度設けることが望ましい。
【００２２】
吸気口カバー４０に設けられた突起部４０ａは、図２及び図３に示すように、吸気口カバー４０の前面側において、同吸気口カバー４０の長手方向に沿って設けられている。突起部４０ａの長手方向の長さは、吸気口カバー４０の長手方向の長さよりも短い。また、突起部４０ａは、図２〜図５に示すように、カバー受け部材７、９と対向する端面を、本体ケース１の背面側から前面側に向かって下方に傾斜する傾斜面４０ｂとした構成である。突起部４０ａをカバー受け部材７、９の溝部７２、９２に嵌め込み易くするためである。なお、突起部４０ａは、図示した長手方向に沿って連続して設けた構成に限定されない。詳細に図示することは省略したが、突起部４０ａは、長手方向に沿って間隔をあけて複数設けた構成でもよい。また、突起部４０ａは、吸気口カバー４０の背面側に設けた構成でもよい。
【００２３】
排気口カバー４１に設けられた突起部４１ａも、図２及び図３に示すように、吸気口カバー４０に設けられた突起部４０ａと同様の構成である。
【００２４】
次に、図１〜図５を参照しながら、図６〜図１２に基づいて、カバー受け部材７、８、９について説明する。図６は、図２に示したＡ部拡大図である。図７は、図２に示したＢ部拡大図である。図８は、図２に示したＣ部拡大図である。図９は、本発明に実施の形態に係る加熱調理器であって、カバー及びカバー受け部材を支持部から取り外した状態を示した要部拡大斜視図である。図１０は、本発明の実施の形態に係る加熱調理器を背面側から見た要部拡大断面図である。図１１は、図１０に示したＤ部拡大図である。図１２は、図１０に示したＥ部拡大図である。
【００２５】
カバー受け部材は、図２に示すように、本体ケース１の背面側における右側縁部と吸気口５との間に配置された右側カバー受け部材７と、本体ケース１の背面側における左側縁部と排気口６との間に配置された左側カバー受け部材８と、吸気口５と排気口６との間に配置された中央カバー受け部材９とで構成されている。右側カバー受け部材７と中央カバー受け部材９は、吸気口カバー４０を支持するものである。左側カバー受け部材８と中央カバー受け部材９は、排気口カバー４１を支持するものである。つまり、中央カバー受け部材９は、吸気口カバー４０と排気口カバー４１とを支持するために共通に使用される。
【００２６】
各カバー受け部材７、８、９は、一例として合成樹脂材からなり、支持枠３の上面に取り付けられている。図６〜図８に示すように、各カバー受け部材７、８、９の上面は、カバー４の上面と同じく支持枠３に向かって下方に下る湾曲面とした構成である。載置させたカバー４を安定させて支持するためである。
【００２７】
右側カバー受け部材７と左側カバー受け部材８は、図６及び図７に示すように、左右対称とした形状である。右側カバー受け部材７は、図４、図９、図１０、及び図１１に示すように、支持枠３に形成された係止孔７０に差し込まれる係止部７１が設けられている。つまり、右側カバー受け部材７は、支持枠３の係止孔７０へ係止部７１を差し込んで、支持枠３の上面に取り付けられている。同様に、左側カバー受け部材８の下面にも、支持枠３に形成された係止孔８０に差し込まれる係止部が設けられている。左側カバー受け部材８も、支持枠３の係止孔８０へ係止部を差し込んで、支持枠３の上面に取り付けられている。また、図５、図９、図１０及び図１２に示すように、中央カバー受け部材９の下面にも、支持枠３に形成された係止孔９０に差し込まれる係止部９１が設けられている。中央カバー受け部材９も、支持枠３の係止孔９０へ係止部９１を差し込んで、支持枠３の上面に取り付けられている。
【００２８】
右側カバー受け部材７と中央カバー受け部材９の対向する端面には、吸気口カバー４０の突起部４０ａが嵌め込まれる切り欠き状の溝部７２、９２がそれぞれ形成されている。同様に、左側カバー受け部材８と中央カバー受け部材９の対向する端面には、排気口カバー４１の突起部４１ａが嵌め込まれる切り欠き状の溝部８２、９３がそれぞれ形成されている。なお、溝部７２、８２、９２、９３は、切り欠き状に限定されず、周囲が溝壁に囲まれた形状でもよい。また、溝部７２、８２、９２、９３に限定されず、カバー部受け部材を貫通する孔部であってもよい。要するに、カバー４の突起部４０ａ、４１ａの形状に対応させた形状であれば、他の構成でもよい。因みに、右側カバー受け部材７及び左側カバー受け部材８には、支持枠３を本体ケース１へ接合するために設けたネジ部材との干渉を避けるために、切り欠き孔７３、８３が形成されている。
【００２９】
吸気口カバー４０を支持枠３に取り付ける際には、吸気口カバー４０を右側カバー受け部材７の上面と中央カバー受け部材９の上面に載せる。すると、吸気口カバー４０の突起部４０ａの傾斜面４０ｂが、湾曲面を成す右側カバー受け部材７の上面及び中央カバー受け部材９の上面を滑り、溝部７２、９２へ向かう。つまり、突起部４０ａの傾斜面４０ｂが、該突起部４０ａを溝部７２、９２へと導くガイドとして機能するため、吸気口カバー４０を支持枠３に簡単に且つ確実に取り付けることができる。吸気口カバー４０は、突起部４０ａが右側カバー受け部材７の切り欠き状の溝部７２と、中央カバー受け部材９の切り欠き状の溝部９２に嵌め込まれて前後左右においてしっかりと固定されているので、調理中に不用意に位置ずれを起こす虞はない。なお、排気口カバー４１を支持枠３に取り付ける際にも同様である。
【００３０】
上述したように、本実施の形態の加熱調理器１００は、上部に開口を有する箱形状の本体ケース１と、本体ケース１の上部開口を覆い、被加熱物を載置可能な天板部２と、天板部２の下方に配設された加熱手段と、本体ケース１に形成され、本体ケース１内の部品を冷却するための冷却風を通す開口部５、６と、開口部５、６を覆うカバー４と、本体ケース１の上面に取り付けられ、カバー４を上面に載置させて支持するカバー受け部材７、８、９と、を備えている。カバー４には、カバー受け部材７、８、９に向かって突き出す突起部４０ａ、４１ａが設けられ、カバー受け部材７、８、９には、突起部４０ａ、４１ａが嵌め込まれる溝部７２、８２、９２、９３が形成されている。そして、カバー４は、突起部４０ａ、４１ａが溝部７２、８２、９２、９３に嵌め込まれてカバー受け部材７、８、９に支持されて、本体ケース１の上面との間に開口部と連通する隙間を形成している。よって、加熱調理器１００は、通気用の孔を有していないフラットでシンプルなデザインとしたカバー４で構成することができるので、外観の意匠性を高めることができる。
【００３１】
また、パンチングメタル又は格子状の金属部材等で構成した従来のカバーでは、通気孔が吸気口５及び排気口６の開口面の真上となる位置に設けられているため、調理中に飛び跳ねた調理物又は油が通気孔を通じて吸気口５及び排気口６に進入しやすく、吸気口５及び排気口６の内部が汚れる問題がある。また、制御基板又は冷却装置に付着する調理物又は油が、装置の故障の原因となる。
【００３２】
本実施の形態の加熱調理器１００では、上面に通気用の孔を有しないカバー４を有する構成なので、調理中に飛び跳ねた調理物又は油が、カバー４の上面から進入することがなく、吸気口５及び排気口６の内部の汚れを軽減することができる。また、カバー４は、通気用の孔を有しないので、パンチングメタル又は格子状のカバーに比べて強度が高い。したがって、洗浄作業中にカバー４の変形を抑制することもできる。
【００３３】
また、本実施の形態に係る加熱調理器１００は、カバー４の突起部４０ａ、４１ａがカバー受け部材７、８、９の溝部７２、８２、９２、９３に嵌め込まれて前後左右においてしっかりと固定されているので、カバー４が調理中に不用意に位置ずれして、本体ケース１から落下することがなく、安全且つ安心して使用することができる。また、カバー４は、溝部７２、８２、９２、９３に突起部４０ａ、４１ａを嵌め込んだだけの簡易な構成なので、取り付け作業及び取り外し作業が容易であり、使い勝手に優れている。
【００３４】
また、カバー４と本体ケース１の上面との間に設けた隙間は、本体ケース１の前面側よりも背面側が幅広である。よって、加熱調理器１００は、調理中に吹き零れた調理物が前面側の隙間を通じて吸気口５及び排気口６に入り難くなり、また幅広に設けた背面側の隙間で効率良く吸排気を行うことができる。
【００３５】
カバー４に設けた突起部４０ａ、４１ａは、カバー４の長手方向に沿って設けられ、突起部４０ａ、４１ａの長手方向の長さが、カバー４の長手方向の長さよりも短い構成とされている。そして、カバー受け部材７、８、９は、平面的に見てカバー４に覆われた配置で、本体ケース１の上面に取り付けられている。よって、加熱調理器１００は、カバー受け部材７、８、９が使用者から見えないようにカバー４で覆われているので、シンプルですっきりしたデザインを呈することができ、外観の意匠性を高めることができる。
【００３６】
また、突起部４０ａ、４１ａは、カバー受け部材７、８、９と対向する端面を、本体ケース１の背面側から前面側に向かってカバー受け部材７、８、９側に傾斜する傾斜面４０ｂ、４１ｂとした構成である。よって、加熱調理器１００は、カバー４をカバー受け部材７、８、９へ設置する際に、カバー４をカバー受け部材７、８、９の上面に載置するだけで、突起部４０ａ、４１ａが傾斜面４０ｂ、４１ｂによって溝部７２、８２、９２、９３へ誘導されるので、カバー４を設置する作業が容易となる。
【００３７】
また、カバー４の上面は、前面側が本体ケース１に向かって下る湾曲面とした形状なので、使用者に柔らかくスタイリッシュな印象を与えることができ、意匠的効果を高めることができる。
【００３８】
また、カバー４は、本体ケース１の長手方向に沿って分割した複数体で構成されているので、例えば汚れた部分のカバーのみを取り外して洗浄することができ、清掃性を向上させることができる。また、カバー４の一部が破損等した場合には、破損した部分のカバー４のみを新しいカバーと交換することができるので、経済的である。更に、分割したカバーを同形、同大とすることで、部品の共通化を図ることができ、製造が容易で生産性を高めることができる。
【００３９】
カバー受け部材７、８、９は、本体ケース１の長手方向に沿って間隔をあけて配置された複数個で構成されており、カバー４の長手方向における両端を支持する構成である。また、カバー受け部材７、８、９に形成された溝部７２、８２、９２、９３は、少なくとも１つのカバー４を支持するカバー受け部材７、８、９の対向する端面に切り欠き状として形成されているので、カバー４の長手方向における両端をしっかりと位置決めして支持することができる。よって、この加熱調理器１００は、調理中にカバー４が不用意に位置ずれして、本体ケース１から落下することがなく、安全且つ安心して使用することができる。
【００４０】
また、カバー４は、アルミニウムの押し出し成形品とすることで、洗練されたデザインを呈することができ、使用者に高級感を与えることができる。
【００４１】
また、カバー４は、ブラスト処理が施されたアルミニウムの押し出し成形品に、アルマイト処理を施して形成することで、裏面に突起部４０ａ、４１ａを設けたことにより発生するヒケを隠すことができ、意匠的効果を高めることができ、且つ耐食性と耐摩耗性を向上させることができる。
【００４２】
また、カバー４は、ヘアライン処理が施されたアルミニウムの押し出し成形品に、アルマイト処理を施して形成することで、意匠面の傷等を目立たなくなり意匠的効果を高めることができ、且つ耐食性と耐摩耗性を向上させることができる。
【００４３】
以上に本発明を実施の形態に基づいて説明したが、本発明は上述した実施の形態の構成に限定されるものではない。例えば、カバー４は、本体ケース１の長手方向に沿って２分割した構成を示したが、１枚で吸気口５及び排気口６を覆う構成でもよいし、３分割以上とした構成でもよい。また、図示した加熱調理器１００の構成は、一例であって、上述した内容に限定されるものではなく、他の構成要素を含んだ加熱調理器であっても同様に実施することができる。要するに、いわゆる当業者が必要に応じてなす種々なる変更、応用、利用の範囲をも本発明の要旨（技術的範囲）に含むことを念のため申し添える。
【符号の説明】
【００４４】
１  本体ケース、２  天板部、２ａ、２ｂ  載置位置表示部、３  支持枠、４  カバー、５  吸気口（開口部）、６  排気口（開口部）、７  右側カバー受け部材、８  左側カバー受け部材、９  中央カバー受け部材、１０  操作部、１１  加熱コイル、４０  吸気口カバー、４０ａ  突起部、４０ｂ  傾斜面、４１  排気口カバー、４１ａ  突起部、４１ｂ  傾斜面、７０  係止孔、７１  係止部、７２  溝部、７３  切り欠き孔、８０  係止孔、８２  溝部、８３  切り欠き孔、９０  係止孔、９１  係止部、９２、９３  溝部、１００  加熱調理器。
【図１】
2018170204.tif 000003
【図２】
2018170204.tif 000004
【図３】
2018170204.tif 000005
【図４】
2018170204.tif 000006
【図５】
2018170204.tif 000007
【図６】
2018170204.tif 000008
【図７】
2018170204.tif 000009
【図８】
2018170204.tif 000010
【図９】
2018170204.tif 000011
【図１０】
2018170204.tif 000012
【図１１】
2018170204.tif 000013
【図１２】
2018170204.tif 000014